(57)【特許請求の範囲】
【請求項１】
前身頃と、後身頃と、袖部と、を備えたスポーツ用上衣であって、
前記袖部は、前記前身頃と同じ面側に位置する前部および前記後身頃と同じ面側に位置する後部を有し、
前記前部は前記後部よりも通気度が高く、
前記前部には複数の通気孔が設けられており、
前記複数の通気孔は、前記袖部の袖底線側から袖山線側に向かうにつれて漸次径が小さくなるように配置され、着用者の腕振り動作に伴い前記前部から空気が内部に流入する、スポーツ用上衣。
【請求項２】
前記袖部の前部と後部は同一の生地からなる請求項１に記載のスポーツ用上衣。
【請求項３】
前記袖部の前部はメッシュ生地からなる請求項１に記載のスポーツ用上衣。
【請求項４】
前記前身頃は、襟部から肩及び胸元に配置された、前記袖部の後部よりも通気度が高い高通気部を有している請求項１から３のいずれか１項に記載のスポーツ用上衣。
【請求項５】
前記袖部の前部および後部を構成する生地は、剛軟度が２０ｍｍ〜１５０ｍｍの範囲である請求項２に記載のスポーツ用上衣。
【請求項６】
前記袖部の前部および後部を構成する生地は、剛軟度が２０ｍｍ〜１５０ｍｍの範囲であり、前記高通気部に前記袖部が繋がるように形成されている請求項４に記載のスポーツ用上衣。
【請求項７】
前記袖部の前部の袖口は、正面視したときに前記袖部の後部の袖口部分が露出するように形成されている請求項１から６のいずれか１項に記載のスポーツ用上衣。
【請求項８】
前記袖部は、袖口に配置された、前記前部および前記後部よりも曲げ剛性の高い縁取り部を有している請求項１から７のいずれか１項に記載のスポーツ用上衣。
【請求項９】
前記袖部は、袖山線と袖底線が、平行になるように形成されている請求項１から８のいずれか１項に記載のスポーツ用上衣。
【請求項１０】
前記袖部は、袖山線と袖底線が、袖口に向かうにつれて互いの距離が広がるように形成されている請求項１から８のいずれか１項に記載のスポーツ用上衣。
【請求項１１】
前記袖部の腋部付近に配置された、周囲よりも伸縮性の高い伸張部を備えている請求項１から１０のいずれか１項に記載のスポーツ用上衣。
【請求項１２】
前記後部は通気度が１７cm3／cm2・s以下である請求項１から１１のいずれか１項に記載のスポーツ用上衣。
【請求項１３】
前記前部と前記後部とは、通気度の差が２３cm3／cm2・s以上である請求項１から１２のいずれか１項に記載のスポーツ用上衣。
【請求項１４】
前身頃と、後身頃と、袖部と、を備えたスポーツ用上衣であって、
前記袖部は、前記前身頃と同じ面側に位置する前部および前記後身頃と同じ面側に位置する後部を有し、
前記前部は前記後部よりも通気度が高く、
前記前部には複数の通気孔が設けられており、
前記通気孔の平面形状は円状であり、その直径が０．６ｍｍ〜５ｍｍの範囲であるスポーツ用上衣。
【請求項１５】
前記前身頃および前記後身頃の通気度が１００cm3／cm2・s以上である請求項１から１４のいずれか１項に記載のスポーツ用上衣。
【請求項１６】
前記通気孔の平面形状は上下方向に伸びた楕円状である請求項２に記載のスポーツ用上衣。
【請求項１７】
前身頃と、後身頃と、袖部と、を備えたスポーツ用上衣であって、
前記袖部は、前記前身頃と同じ面側に位置する前部および前記後身頃と同じ面側に位置する後部を有し、
前記前部は前記後部よりも通気度が高く、
前記前部には複数の通気孔が設けられており、
前記通気孔は前記前部の袖山線と袖底線との間の領域全体に形成されているスポーツ用上衣。
【請求項１８】
前身頃と、後身頃と、腕振り動作に伴い前後に動く袖部と、を備えたスポーツ用上衣であって、
前記袖部は、前記前身頃と同じ面側に位置する前部および前記後身頃と同じ面側に位置する後部を有し、
前記前部と前記後部は同一の生地からなるとともに前記前部は前記後部よりも通気度が高く、
前記前部には複数の通気孔が設けられており、
前記複数の通気孔は、前記袖部の袖底線側から袖山線側に向かうにつれて漸次径が小さくなるように配置されているスポーツ用上衣。
【発明の詳細な説明】
【技術分野】
【０００１】  この発明は、上衣に係り、特に、運動中の衣服内に換気を促し、温度を低下させる冷却効果等を図った上衣に関するものである。
【背景技術】
【０００２】  マラソンやテニスなど比較的長時間にわたって連続して運動をすると、一般的に体温は大きく上昇する傾向にある。特に高温多湿となる環境下でそのような運動をすると体温上昇が顕著となる。体温が上昇しすぎると運動パフォーマンスの低下につながる可能性がある。【０００３】  そこで、ウエアの全面もしくは大部分を通気度の高いメッシュ素材で作成するとことにより、運動時の体温上昇を抑制することが期待できる。通気性の向上等を図るためにウエアの一部をメッシュ素材で形成したものが知られている（例えば、特許文献１参照）。【０００４】  この特許文献１には、前後の身頃部と袖部との連結部をこの身頃部並びに袖部よりも伸縮性に優れた通気孔を多数有するメッシュ素材で形成したスポーツ用上衣が提案されている。このスポーツ用上衣においては、メッシュ素材により、通気性が良好になる。しかし、前身頃部と袖部、後身頃と袖部のそれぞれの連結部に、メッシュ素材を配置しているので、前身頃側のメッシュ素材から取り入れた空気がそのまま背部の後身頃側のメッシュ素材に抜けて、空気の流れが起こりにくく、ウエア内の空気の流れに着目すると改善の余地がある。
【先行技術文献】
【特許文献】
【０００５】
【特許文献１】特開２０００−１２９５１２号公報
【発明の概要】
【発明が解決しようとする課題】
【０００６】  この発明は、運動中の衣服内に換気を促し、冷却機能を向上させた上衣を提供することを課題とする。
【課題を解決するための手段】
【０００７】  この発明の一態様に係る上衣は、前身頃と、後身頃と、袖部と、を備えた上衣であって、前記袖部は、前記前身頃と同じ面側に位置する前部および前記後身頃と同じ面側に位置する後部を有し、前記後部は通気度が低い生地で形成されており、前記前部は前記後部よりも通気度が高い。【０００８】  前記袖部の前部と後部は同一の生地で形成し、前記前部に複数の通気孔を設けてもよい。【０００９】  前記袖部の前部には、メッシュ生地を用いることができる。【００１０】  また、前記前身頃は、襟部から肩及び胸元にかけて配置された、前記袖部の後部よりも通気度が高い高通気部を有していてもよい。【００１１】  また、前記袖部の前部および後部を構成する生地は、好適には剛軟度が２０ｍｍ〜１５０ｍｍの範囲から選択される。【００１２】  また、前記袖部の前部および後部を構成する生地の剛軟度を２０ｍｍ〜１５０ｍｍの範囲に設定し、この袖部が胸元に配置された通気度が高い高通気部に繋がるようにしてもよい。【００１３】  また、前記袖部の前部は、正面視したときに前記袖部の後部の袖口部分が露出するように形成されてもよい。【００１４】  また、前記袖部は、袖口に配置された、前記前部および前記後部よりも曲げ剛性の高い縁取り部を有していてもよい。【００１５】  前記袖部は、袖山線と袖底線が、平行又は袖口に向かうにつれて互いの距離が広がるように形成されてもよい。【００１６】  また、前記前身頃および後身頃の腋部付近に、周囲よりも伸縮性の高い伸張部を有していてもよい。【００１７】  また、好適には前記後部は通気度が１７cm3／cm2・s以下であり、前記前部と前記後部とは、通気性の差が２３cm3／cm2・s以上である。【００１８】  前記通気孔の平面形状は円状であり、好適にはその直径が０．６ｍｍ〜５ｍｍの範囲である。【００１９】  また、前記複数の通気孔は、前記袖部の袖底線側から袖山線側に向かうにつれて漸次径が小さくなるように配置してもよい。【００２０】  また、前記通気孔の平面形状は上下方向に伸びた楕円状にすることができる。
【発明の効果】
【００２１】  この発明の一態様に係る上衣は、袖部の後部が通気度の低い生地で形成されており、袖部の前部は後部よりも通気度を高くしているので、腕の動きによって、袖の前部から流入した空気は、後部の通気度の低い素材にぶつかり、身体の中心方向に向かう空気の流れが促進される。このように空気の流れを促すことによって、例えば、衣服内温度を下げる効果が期待される。
【図面の簡単な説明】
【００２２】
【図１】この発明の実施形態に係る上衣の正面図である。
【図２】この発明の実施形態に係る上衣の背面図である。
【図３】この発明の実施形態に係る上衣の側面図である。
【図４】この発明の実施形態に係る上衣の袖部の展開図である。
【図５】この発明の実施例に係る上衣の正面図である。
【図６】この発明の実施例に係る上衣の背面図である。
【図７】この発明の比較例の上衣を示す正面図である。
【図８】この発明の冷却効果を確認するために、デジタル温湿度センサを取り付ける位置を示す説明図である。
【図９Ａ】冷却効果を確認した上衣の正面図である。
【図９Ｂ】冷却効果を確認した上衣の背面図である。
【図１０Ａ】冷却効果を確認した上衣の正面図である。
【図１０Ｂ】冷却効果を確認した上衣の背面図である。
【図１１Ａ】冷却効果を確認した上衣の正面図である。
【図１１Ｂ】冷却効果を確認した上衣の背面図である。
【図１２Ａ】冷却効果を確認するために、デジタル温湿度センサを取り付ける位置を示す説明図である。
【図１２Ｂ】冷却効果を確認するために、デジタル温湿度センサを取り付ける位置を示す説明図である。
【図１３Ａ】胸部の衣服内温度を示すグラフである。
【図１３Ｂ】背部の衣服内温度を示すグラフである。
【発明を実施するための形態】
【００２３】  以下、この発明の実施形態の上衣について図面を参照しながら詳細に説明する。この実施形態の上衣は、例えば、テニスウエアである。図１は、この実施形態の上衣の正面図、図２は同背面図、図３は同側面図である。
【００２４】  図１〜図３に示すように、この上衣は、前身頃１０、後身頃１１を有する本体部１と、本体部１の上側の両サイドから延びる一対の半袖状の袖部２を有している。また、本体部１の上部には襟部１３が設けられている。
【００２５】  袖部２は、前身頃１０と同じ面側に位置する前部２０と後身頃１１と同じ面側に位置する後部２１を有する。
【００２６】  運動者の体温上昇を抑制するためには、メッシュ素材などの通気度の高い素材を用いてウエア全体を構成すればよいとも思われるが、本願の発明者等は、必ずしもそうではなく部分的に通気度を高くして、ウエアに通気性の勾配をつけた方が体温上昇を抑制できる場合があることを見出した。この検証について図９〜図１３を用いて説明する。
【００２７】  図９〜図１１は検証に用いた上衣であり、具体的にはバスケットウエアに基づくノースリーブの上衣である。図９Ａ、図９Ｂは、前面及び背面をコットン７０％、ポリエステル３０％の生地を用いて作成したもの（以下、ノーマルという）であり、図９Ａは前面、図９Ｂは背面を示している。
【００２８】  図１０Ａ、図１０Ｂは、前面及び背面の全面をノーマルの生地よりも通気度の高いメッシュ素材で作成したもの（以下、総メッシュという）であり、図１０Ａは前面、図１０Ｂは背面を示している。
【００２９】  図１１Ａ、図１１Ｂは、ノーマルの生地に、部分的にメッシュ素材を用いてメッシュ部を作成したもの（以下、部分メッシュという）である。図１１Ａに示すように、部分的なメッシュ部は、前面の胸部分１０１と、両脇線からそれぞれ内側に少し離れた位置の腹の一部１０２、１０２と、図１１Ｂに示すように、背面の首の下１０３と、両肩胛骨から下の背中の一部１０４に設けている。  図１２Ａ、図１２Ｂに示すように、被検者の胸部及び背部にデジタル温湿度センサ１１０を取り付け、前述の上衣を被検者に着用させて運動時における衣服内温度を測定した。
【００３０】  測定は以下の条件のもとで行った。＜環境条件＞温度２５℃、湿度５０％の室内＜運動条件＞以下の条件（ａ）、（ｂ）、（ｃ）を順に行う。条件（ａ）：無風状態で２分間安静にする。条件（ｂ）：被検者の前方より約０．５ｍ／ｓの風を送った有風状態で２分間の安静状態にする。条件（ｃ）：（ｂ）と同じ有風状態において、１０ｋｍ／ｈの速さで２０分間ランニングする。
【００３１】  このような条件のもとで、条件（ｃ）の２０分間の運動中に３０秒ごとに温度を測定し、その平均値を求めた。その結果を図１３Ａ、図１３Ｂに示す。図１３Ａは胸部の温度の測定結果を示すグラフであり、図１３Ｂは背部の温度の測定結果を示すグラフである。
【００３２】  これらのグラフに示されるように、部分メッシュはノーマルおよび総メッシュのいずれよりも温度の上昇が抑えられていることがわかる。
【００３３】  このように、風通りが良い総メッシュよりも部分メッシュの方が、温度上昇が抑えられている要因としては、部分メッシュの上衣内における空気の流れが考えられる。具体的には、部分メッシュの場合、ランニング動作などによって前面のメッシュ部分から流入した空気がメッシュ以外の部分からはあまり抜けずに背面まで回り込み、最終的に背面のメッシュ部分から抜けていくようにして衣服の中で空気の流れができていると推察される。一方で総メッシュの場合は空気が方向を問わず出入りし、部分メッシュのような空気の流れは起こりにくいと考えられる。
【００３４】  本発明者等は上記の知見、すなわち、空気に対してぶつかるような動作をする際には、メッシュ素材のように通気度の高い生地を上衣の全面に用いるよりも、部分的に用いた方が空気の流れを促して衣服内の温度上昇を抑制できる場合があるとの知見を得て、本実施形態に係る上衣の構造を想到するに至ったのである。
【００３５】  すなわち、この実施形態に係る上衣は、上衣全体を高通気度の素材で形成するのではなく、部分的な通気性の差を設け、ウエア内部に空気の流れを積極的に促すようにしたものであり、上衣の各パーツで通気度の異なる素材を用いている。特に、袖部２の後部２１は低通気性の生地で形成されており、前部２０は後部２１よりも通気度が高い。これにより前部２０から流入した空気がそのまま後部２１から抜けることが抑制される。
【００３６】  この実施形態では、袖部２は、前身頃１０および後身頃１１より通気度の低い生地を用いて形成されており、前部２０に通気孔２２を多数設けることで、袖部２の前部２０は後部２１よりも通気度が高くなるようにしている。前部２０の通気孔２２は、例えば、前部２０の生地に対する機械的なパンチング、レーザー照射などの方法によって形成することができる。
【００３７】  そして、この実施形態においては、前身頃１０は、襟部１３から肩及び胸元にかけて後部２１より通気度の高い高通気部１２が設けられ、この高通気部１２に連なるように袖部２が取り付けられている。高通気部１２は、例えば、略逆三角形状である。
【００３８】  この実施形態においては、袖部２はラグラン袖を基本として形成されているものの一般的なラグラン袖とは若干異なっている。具体的にこの実施形態における袖部２が一般的なラグラン袖と異なるところは、襟部１３から直接袖部２が繋がるのではなく、襟部１３と袖部２との間に、高通気部１２が介在している点である。この実施形態における袖部２は、肩口から胸を通り腋に至る部分も含む。換言すれば、腕振りによって前後に移動する箇所が袖部２となる。
【００３９】  また、後身頃１１においては、図２に示されるように、襟部１３から肩胛骨の間に至る部分に、略逆三角形状の高通気部１４が設けられている。高通気部１４は後部２１よりも通気度が高い。後身頃１１の高通気部１４は肩胛骨付近で袖部２と縫製されている。
【００４０】  また、腋部には、袖部２がスムーズに移動できるように、周囲の生地より伸縮性の高い生地で形成された伸張部２５が設けられている。尚、この実施形態においては、前身頃１０、後身頃１１の腋部付近に伸張部２５が設けられているが、前身頃１０側だけに伸張部２５を設けてもよい。
【００４１】  袖部２の袖口には、前部２０および後部２１よりも曲げ剛性の高い縁取り部２６が設けられている。このように曲げ剛性の高い縁取り部２６を設けることにより、袖口の型崩れがしにくくなると共に、袖口の重みが増して腕振り時の遠心力がより大きく働き、空気の取り込み口を確保しやすくなる。
【００４２】  また、この実施形態では、前身頃１０に袖口まで続くパイピング１５と、伸張部２５まで続くパイピング１６が設けられ、後身頃１１に袖口まで続くパイピング１５が設けられている。パイピング１５、１６を設けることで、剛性を高くして、腕振りの際の袖部２の型崩れが抑制される。これにより肌と生地との間に空気の流れる空間が確保され、袖部２から流入された空気が身体の中心方向に向かって流れやすくなる。
【００４３】  上衣を構成する生地に使用される繊維は、一般的な衣服に使用される繊維であればどの繊維を用いてもよく、例えば、綿、麻、絹などの天然繊維、ポリエステル、ナイロン、レーヨンなどの化学繊維などを使用することができる。なお、通気度あるいは曲げ剛性を制御する観点から袖部２を構成する生地には、例えば、ポリエステルからなる布帛を使用することが好ましい。
【００４４】  袖部２の前部２０の通気度は、例えば、４０ｃｍ３／ｃｍ２・ｓ以上に設定される。一方、袖部２の後部２１は通気度が比較的低くなるように設定されており、その通気度は、例えば、２０ｃｍ３／ｃｍ２・ｓ以下である。
【００４５】  前部２０と後部２１とは、同じ生地で構成されていていてもよいし、異なる生地で構成されていてもよい。この実施形態では前部２０と後部２１とを同じ生地で構成し、前部２０に複数の通気孔２２を設けることにより、前部２０の通気度を後部２１よりも高くしている。
【００４６】  このように、袖部２を構成することによって、前部２０から空気が入り込みやすくするとともに、入り込んだ空気が後部２１から流出しないようにしている。これにより袖部２から流入した空気が胸部及び背部に向かって流れ込みやすくなる。
【００４７】  袖部２の前部２０と後部２１とは、通気度の差が、例えば、２３ｃｍ３／ｃｍ２・ｓ以上となるように設定されている。
【００４８】  前身頃１０および後身頃１１のうち、高通気部１２、１４以外の部分の通気度は、例えば、１００ｃｍ３／ｃｍ２・ｓ以上である。
【００４９】  高通気部１２、１４の通気度は、前身頃１０および後身頃１１の高通気部以外の部分よりも高く、例えば、２００ｃｍ３／ｃｍ２・ｓ以上である。
【００５０】  生地の通気度は、織り方、層数（単層、２層以上）などにより変えることができる。例えば、織り方によって通気度を低くするには織物の密度（経密度、緯密度）をできる限り高くすればよい。また、生地に樹脂コーティング処理をして通気度を低くすることもできる。
【００５１】  生地に布帛を使用した場合の織り方は、例えば、平織り、綾織り、朱子織り、またはこれを組み合わせたジャガードなどが可能である。
【００５２】  袖部２の前部２０に設ける通気孔２２は、例えば、平面形状が円状であり、その直径は０．６ｍｍ〜５ｍｍの範囲内で選択される。直径を０．６ｍｍ以上にすることで空気が通気孔２２から入り込みやすくなる。一方、直径を５ｍｍ以下にしておくことで通気孔２２からの肌の露出が目立ちにくい。
【００５３】  図４は複数の通気孔２２の好適な配置の一例を示す図であり、袖部２を展開した平面図である。図４に示す袖部２においては、複数の通気孔２２が袖部２の袖底線２４側から袖山線２３側に向かうにつれて漸次径が小さくなるように配置されている。すなわち、袖山線２３に近い位置に配置された通気孔２２ほど、その直径が小さくなっている。
【００５４】  腕振りの際に、空気は袖部２の前部２０のうち、前部２０の上下方向の中央ラインよりも下の領域にぶつかりやすく、上下方向の中央ラインよりも上の領域にぶつかる空気は比較的少ないと考えられる。そのため、前部２０の中で後部２１（袖山線２３）に近い領域の通気孔２２を大きくしてしまうと、そこからの空気の取り込みよりも、前部２０の上下方向の中央ラインよりも下の領域で取り込まれた空気が抜けてしまう可能性の方が大きくなると考えられる。そこで、前部２０の袖底線２４側から袖山線２３側に向かうにつれて漸次径が小さくなるように複数の通気孔２２を配置することで、空気の取り込みと空気抜け防止がバランスよく機能することが期待される。
【００５５】  また、通気孔２２の平面形状は、円形だけでなく、三角形、四角形などの多角形状、楕円状など任意の形状が可能である。なかでも上下方向に伸びた楕円状に形成することが好ましい。
【００５６】  これは、腕振りの際に袖部２の前部２０にぶつかった空気は前部２０に沿って上昇するように流れることが多いと予想されることから、通気孔２２の形状を上下方向に伸びた楕円状にすることによって、同じ面積の円状の通気孔２２の場合と比較して、上昇するように流れる空気をより多く取り込みやすくなると考えられるためである。
【００５７】  ところで、ランニングやテニスといった、肩関節の屈曲、伸展、外転、内転などある一定方向に対して腕を振ることが多い運動競技においては、その動作によって、上衣の袖部２が大きくはためく。
【００５８】  そのように袖部２が大きくはためいた場合に袖部２の剛軟度が低いと、腕を動かすことにより袖部２の形状が崩れやすくなる。その場合、袖部２の生地が肌に密着する領域が多くなり、空気の流れる空間が確保されず、袖口からの空気の流入が抑制される。そこで、この実施形態においては、袖部２を剛軟度の高い生地で作成している。
【００５９】  袖部２の前部２０および後部２１を構成する生地の好適な剛軟度の範囲は、２０ｍｍ〜１５０ｍｍである。剛軟度が２０ｍｍ〜１５０ｍｍの範囲の生地を用いれば、袖部２が型崩れしにくくなり、空気の通り道が確保され、ベンチレーション機能を向上させつつ、肌触りの不快感も抑制できる。即ち、剛軟度が２０ｍｍ未満だと型崩れがしやすくなるので、剛軟度は２０ｍｍ以上にすることが好ましい。また、剛軟度が１５０ｍｍより大きくなると不快感が大きくなるので、剛軟度は１５０ｍｍ以下にすることが好ましい。
【００６０】  なお、剛軟度は、ＪＩＳ  Ｌ  １０９６Ａ法（４５°カンチレバー法）に基づいて測定した値である。
【００６１】  ところで、袖は、一般的に肩から腋にかけてアームホールをとって、袖を身頃に縫い付けるセットインと呼ばれるものと、首（襟部）から腕（袖裾）にかけて斜めに袖を取り、身頃に縫い付けるラグラン袖と呼ばれるものがある。この実施形態では、上記したように、ラグラン袖を基本として、前身頃１０の襟部１３と袖部２との間に略逆三角形状の高通気部１２が設けられるとともに、袖部２から胸元の高通気部１２まで曲げ剛性の高い生地を用いている。これにより、空気の流れが確保され、袖部２から襟部１３に向かっての空気の流れが促進され、ベンチレーション機能が向上することが期待される。
【００６２】  また、腕を振る動作に基づき、袖口からより多くの空気を取り入れるためには、袖部２の面積を拡張することが効果的である。
【００６３】  解剖学的に肩回り及び腕の付け根は、袖口のある上腕より周囲径が大きい。これに合わせて一般的な衣料では、図１の一点鎖線で示した肩回りの径が袖口の径よりも大きくなっている。しかし、袖口からより多くの空気を衣服内に取り込むといった対流の観点から考えると、袖山線２３と袖底線２４の２つの線分２３ａ、２４ａを平行とするか、または袖山線２３と袖底線２４が袖口に向かうにつれて互いの距離が広がるように形成することが好ましい。これにより、袖口からより多くの空気が取り込まれ、対流が促されることで衣服内温度が低下する。
【００６４】  図１に示すように、袖部２の前部２０の袖口は、正面視したときに袖部２の後部２１の袖口部分が露出するように形成されている。袖口から効率よく空気を取り入れるためには、袖部２の前部２０を後部２１よりも長軸方向に対して短くカッティングすることが有効である。これによって、腕の前振り方向に対してより多くの空気を袖部２の背部の後部２１に当てることが可能となり、対流の促進につながる。袖口のカッティングの形状は、図１に示すように三角形状でもよいし、その他、半円状、四角形状など、後部２１の袖口部分が露出すればどのような形状でもよい。
【００６５】  尚、上記した実施形態では、袖部２の前部２０と後部２１は、同じ生地を用い、前部２０に多数の通気孔２２を設けることによって、前部２０の通気度を後部２１よりも高くしているが、通気度の差を設ける方法としてはこれに限らず、例えば、前部２０をメッシュ素材の生地を用いて形成し、後部２１をメッシュよりも高密度で織った布帛などを用いて形成することによって、前部２０の通気度を後部２１より高くしてもよい。
【００６６】  また、上記した実施形態においては、袖部２は、ラグラン袖を基本として、腕振りにより前後する箇所に袖部２を設けたが、通常のセットインの袖部にもこの発明は適用できる。
【００６７】  （実施例）  次に、この発明の具体的実施例を図５及び図６を参照して説明する。図５及び図６に示すように、この実施例の上衣は、前身頃１０及び後身頃１１を有する本体部１と、袖部２と、襟部１３と、伸張部２５、２７、２８の各パーツによって構成されている。
【００６８】  なお、この実施例における袖部２は、肩口から胸を通り腋に至る部分も含み、腕振りによって前後に移動する箇所となる。
【００６９】  この実施例では、後身頃１１の裾部は、前身頃１０より少し長く形成されている。
【００７０】  各パーツの通気度および混紡率は以下の通りである。＜通気度＞・袖部２の前部２０          ：４０ｃｍ３／ｃｍ２・ｓ・袖部２の後部２１          ：１７ｃｍ３／ｃｍ２・ｓ・前身頃１０及び後身頃１１  ：２０５ｃｍ３／ｃｍ２・ｓ・伸張部２５、２７、２８    ：８９ｃｍ３／ｃｍ２・ｓ  なお、通気度はフラージル形通気性試験機を用いて、ＪＩＳ  Ｌ  １０９６「織物及び編物の生地試験方法」に規定される方法により求めた値である。＜混紡率＞・袖部２の前部２０          ：ポリエステル１００％・袖部２の後部２１          ：ポリエステル１００％・前身頃１０及び後身頃１１  ：ポリエステル１００％・伸張部２５、２７、２８    ：ポリエステル９０％、ポリウレタン１０％
【００７１】  ここで、袖部２の前部２０と後部２１は同じポリエステル１００％の繊維を用いて同じ密度で織られた布帛からなるが、前部２０に複数の通気孔２２を設けることによって、両者の通気度の差が生じている。また、袖部２と前身頃１０及び後身頃１１も同じポリエステル１００％の繊維を用いた布帛からなるが、袖部２の密度を前身頃１０及び後身頃１１よりも高くすることによって通気度の差が生じている。
【００７２】  なお、袖部２の前部２０および後部２１を構成する生地の剛軟度は２３ｍｍである。
【００７３】  袖部２と伸張部２７は胸部付近で前身頃１０と縫製されている。この実施例は、襟部１３から直接袖部２が繋がるのではなく、襟部１３と袖部２との間には、伸張部２７が設けられている。
【００７４】  この実施例では、袖山線２３と袖底線２４は平行に形成している。
【００７５】  図５に示すように、袖部２の前部２０の袖口を後部２１よりも長軸方向に対して短くカッティングしている。袖部２の袖口には、前部２０、後部２１よりも曲げ剛性の高い縁取り部２６を設けている。
【００７６】  （比較例１）  比較例１は、図７に示すように、セットイン型の通常のＴシャツであり、通気度が１１３．５ｃｍ３／ｃｍ２・ｓの同じ生地で本体部１ａ、袖部２ａを形成している。
【００７７】  （比較例２）  比較例２は、実施例の上衣における袖部２の前部２０の通気孔２２を通気性のないテープで塞いだこと以外は実施例と同じである。
【００７８】  実施例と、比較例１、２を被検者に着せて、被検者の衣服内温度変化と被検者の感覚を測定した。被検者の数は１０名である。各被験者にテニスのスイング動作をわせた。ハイボールのヒッティング動作を１回、ローボールのヒッティング動作を３回、を１セットとして計１０セットを、約８０秒間スイングした。スイングは連続４０回になる。
【００７９】  環境条件は、気温５℃、湿度４０％、無風状態である。測定は図８に示すように、デジタル温湿度センサ（シスコム社製）を腕から首元にかけて４箇所に取り付けて温度測定をした。デジタル温湿度センサ４１は上腕二頭筋部分、デジタル温湿度センサ４２は三角筋部分、デジタル温湿度センサ４３は肩関節部分、デジタル温湿度センサ４４は胸頂上部にそれぞれ装着した。
【００８０】  算出方法は、スイング動作開始の最初の１０秒間の測定温度の平均値と、スイング動作終了直前１０秒間の測定温度の平均値の差を４箇所について算出し、４箇所の平均値をとった。すなわち、約８０秒間のスイング動作によって体温が上昇するが、実施例、比較例１および比較例２のそれぞれについて動作開始直後と動作終了間際とを比較してどの程度温度が上昇するのかを測定し、温度上昇の抑制効果を調べた。
【００８１】  この結果、運動後の温度上昇がこの発明の実施例では＋０．６１℃、比較例１では＋１．４２℃、比較例２では＋１．３４℃であった。比較例１が、一番温度が上がっていることが分かる。そして、袖部からの風の流入をなくした比較例２は、比較例１よりも僅かに低いが、温度の上昇幅が実施例の２倍ほどであった。
【００８２】  このことから、実施例は比較例１及び比較例２よりも衣服内温度を下げる効果があることが確認できた。
【００８３】  また、この実施例の実証からして、袖部２の後部２１の通気度を少なくとも１７ｃｍ３／ｃｍ２・ｓ以下にすれば袖部２の前部１０や袖口から取り込まれた空気の抜けを抑制して空気の流れを促す効果が期待される。
【００８４】  また、このように通気度の低い後部２１を設けた上で、前部２０の通気度を少なくとも２３ｃｍ３／ｃｍ２・ｓ以上後部２１の通気度よりも高くしておけば、前部２０から空気を十分に取り込んで空気の流れを促す効果が期待される。
【００８５】  次に、被検者１０人の感覚について評価した。「最も冷たい」を「１」、「最も暖かい」を「１０」として、ビジュアルアナログスケール（ＶＡＳ：Ｖｉｓｕａｌ  Ａｎａｌｏｇｕｅ  Ｓｃａｌｅ）によりアンケートした。その結果、実施例では、４．３ポイント、比較例１では７．６ポイント、比較例２では、６．４となった。この結果、この実施例が、衣服内温度が上昇していないと感じていることが分かった。
【００８６】  上述の実施形態では、テニスウエアを用いて説明したが、テニスウエアに限らず、例えば、ジョギング程度の腕振りでも効果が得られると期待される。よって、種々のスポーツの上衣に本発明を適用することができる。  上述した実施形態では半袖の上衣を用いて説明したが、長袖の上衣にも本発明は適用可能である。
【００８７】  今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００８８】１      ：本体部１ａ    ：本体部２      ：袖部１０    ：前身頃１１    ：後身頃１２    ：高通気部１３    ：襟部１４    ：高通気部１７    ：肩部２０    ：前部２１    ：後部２２    ：通気孔２３    ：袖山線２４    ：袖底線２５    ：伸張部２６    ：縁取り部２７    ：伸張部２８    ：伸張部
【要約】  冷却機能を向上させた上衣を提供することを課題とする。前身頃（１０）と、後身頃（１１）と、袖部（２）と、を備えた上衣であって、前記袖部（２）は、前記前身頃（１０）と同じ面側に位置する前部（２０）および前記後身頃（１１）と同じ面側に位置する後部（２１）を有し、前記後部（２１）は通気度の低い生地で形成されており、前記前部（２０）は前記後部（２１）よりも通気度を高くした。【図１】
0006030812.tif 000002
【図２】
0006030812.tif 000003
【図３】
0006030812.tif 000004
【図４】
0006030812.tif 000005
【図５】
0006030812.tif 000006
【図６】
0006030812.tif 000007
【図７】
0006030812.tif 000008
【図８】
0006030812.tif 000009
【図９Ａ】
0006030812.tif 000010
【図９Ｂ】
0006030812.tif 000011
【図１０Ａ】
0006030812.tif 000012
【図１０Ｂ】
0006030812.tif 000013
【図１１Ａ】
0006030812.tif 000014
【図１１Ｂ】
0006030812.tif 000015
【図１２Ａ】
0006030812.tif 000016
【図１２Ｂ】
0006030812.tif 000017
【図１３Ａ】
0006030812.tif 000018
【図１３Ｂ】
0006030812.tif 000019